(57)【要約】【課題】簡単な操作でセミオートの開動作を実現できるヒンジ機構および携帯端末を提供する。【解決手段】携帯端末を構成する第１筐体と第２筐体とを枢動により折りたたみ開閉可能に接続するヒンジ機構に、第１筐体に固定される第１カムと、第２筐体に固定される第２カムと、前記第１カムの第１凸部と前記第２筐体の第２凸部とが互いに対向する状態で配置された前記第１カムと第２カムとを互いに近づく方向へ押圧付勢する押圧付勢手段と、前記第１カムと前記第２カムとが枢軸を中心に開方向へ相対的に枢動するように付勢する枢動付勢手段とを備え、前記枢動付勢手段による開方向への枢動を前記第１凸部と前記第２凸部とが互いに当接して係止し、前記押圧付勢手段を、前記枢動付勢手段による枢動付勢によって他方の前記当接部が前記傾斜面を乗り越えることのない強度の押圧付勢力に構成した。【選択図】図７
2008106803.tif 000002
【特許請求の範囲】
【請求項１】
携帯端末を構成する第１筐体と第２筐体とを枢動により折りたたみ開閉可能に接続するヒンジ機構であって、
枢軸の周囲で枢軸方向へ突出する第１凸部を有して前記第１筐体に固定される第１カムと、
枢軸の周囲で枢軸方向へ突出して前記第１カムの第１凸部と係合する第２凸部を有して前記第２筐体に固定される第２カムと、
前記第１凸部を有する第１対向面と前記第２凸部を有する第２対向面とが互いに対向する状態で配置された前記第１カムと第２カムとを互いに近づく方向へ押圧付勢する押圧付勢手段と、
前記第１カムと前記第２カムとが前記枢軸を中心に開方向へ相対的に枢動するように付勢する枢動付勢手段とを備え、
前記枢動付勢手段による開方向への枢動を係止する際に前記第１凸部と前記第２凸部とが互いに当接する各当接部の少なくとも一方を枢動方向に傾斜する傾斜面で形成し、
前記押圧付勢手段を、前記枢動付勢手段による枢動付勢によって他方の前記当接部が前記傾斜面を乗り越えることのない強度の押圧付勢力に構成した
ヒンジ機構。
【請求項２】
前記第１対向面または前記第２対向面に、前記押圧付勢手段の押圧付勢力を利用して前記枢動付勢手段による枢動を補助するスロープを備えた
請求項１記載のヒンジ機構。
【請求項３】
前記第１筐体と第２筐体とが重なる折りたたみ状態で第１筐体と第２筐体とをずらすように枢動許容する枢着部と、
第１筐体と第２筐体とがずらすように枢動されると前記押圧付勢手段による第１カムと前記第２カムとの開方向の回転係止を解除する係止解除手段とを備えた
請求項１または２記載のヒンジ機構。
【請求項４】
請求項１、２または３記載のヒンジ機構と前記第１筐体と前記第２筐体とを備え、
前記第１筐体と前記第２筐体の一方に画像を表示する表示手段を備え、
他方に入力操作を許容する入力手段を備えた
携帯端末。
【発明の詳細な説明】
【技術分野】
【０００１】
この発明は、例えば第１筐体と第２筐体が折りたたみ開閉可能に連結された携帯電話機やＰＤＡ等の携帯端末に用いられるようなヒンジ機構および携帯端末に関する。
【背景技術】
【０００２】
従来、携帯電話機などの携帯端末では、クラムシェルタイプと呼ばれる折りたたみ開閉を行うヒンジ機構が多く用いられている。このような折りたたみ開閉を行うヒンジ機構としては、セミオートでの開動作を実現するべく、枢軸の端部に設けられたボタンを押下するワンタッチ操作によって閉状態から開状態に移行させることができる機構が提案されている（特許文献１および２参照）。
【０００３】
しかし、この機構では、小さな押下用のボタンを枢軸方向へ押し込む必要があるため、操作に難があった。また、携帯端末がカバンの中に収納されて運ばれている間の衝撃等によって押下用のボタンが押下されると、意図せず開動作してしまうという問題点もあった。そして、この意図しない開動作を防止しようとすれば、ボタンの押下復帰用バネの付勢力を強くする方法があるが、このように付勢力を強くすると、ボタンの押下に強い力が必要となって使いづらくなるという問題点もあった。
【０００４】
【特許文献１】特開平８−１２５７２５号公報
【特許文献２】特開２００３−２０２０１３号公報
【発明の開示】
【発明が解決しようとする課題】
【０００５】
この発明は、上述の問題に鑑み、簡単な操作でセミオートの開動作を実現できるヒンジ機構および携帯端末を提供することを目的とする。
【課題を解決するための手段】
【０００６】
この発明は、携帯端末を構成する第１筐体と第２筐体とを枢動により折りたたみ開閉可能に接続するヒンジ機構であって、枢軸の周囲で枢軸方向へ突出する第１凸部を有して前記第１筐体に固定される第１カムと、枢軸の周囲で枢軸方向へ突出して前記第１カムの第１凸部と係合する第２凸部を有して前記第２筐体に固定される第２カムと、前記第１凸部を有する第１対向面と前記第２凸部を有する第２対向面とが互いに対向する状態で配置された前記第１カムと第２カムとを互いに近づく方向へ押圧付勢する押圧付勢手段と、前記第１カムと前記第２カムとが前記枢軸を中心に開方向へ相対的に枢動するように付勢する枢動付勢手段とを備え、前記枢動付勢手段による開方向への枢動を係止する際に前記第１凸部と前記第２凸部とが互いに当接する各当接部の少なくとも一方を枢動方向に傾斜する傾斜面で形成し、前記押圧付勢手段を、前記枢動付勢手段による枢動付勢のみによって他方の前記当接部が前記傾斜面を乗り越えることのない強度の押圧付勢力に構成したヒンジ機構であることを特徴とする。  
前記携帯端末は、携帯電話機またはＰＤＡ（Personal Digital Assistants）等、携帯可能な端末で構成することができる。
【０００７】
この発明により、簡単な操作でセミオートの開動作を実現できるヒンジ機構を提供できる。例えばこのヒンジ機構を携帯端末に取り付ければ、前記押圧付勢手段の押圧付勢力に逆らって第１筐体と第２筐体を手動で開方向へ枢動させると、他方の前記当接部が前記傾斜面を乗り越え、これ以降は枢動付勢手段の枢動付勢によって開方向へ自動で枢動するセミオートの開動作を実現できる。
【０００８】
この発明の態様として、前記第１対向面または前記第２対向面に、前記押圧付勢手段の押圧付勢力を利用して前記枢動付勢手段による枢動を補助するスロープを備えることができる。  
これにより、セミオートで全開状態まで完全に枢動させることの確実性を高めることができる。
【０００９】
またこの発明の態様として、前記第１筐体と第２筐体とが重なる折りたたみ状態で第１筐体と第２筐体とをずらすように枢動許容する枢着部と、第１筐体と第２筐体とがずらすように枢動されると前記押圧付勢手段による第１カムと前記第２カムとの開方向の回転係止を解除する係止解除手段とを備えることができる。  
これにより、第１筐体と第２筐体をずらせば全開状態までセミオートで開くことができるヒンジ機構を提供できる。
【００１０】
またこの発明は、前記ヒンジ機構と前記第１筐体と前記第２筐体とを備え、前記第１筐体と前記第２筐体の一方に画像を表示する表示手段を備え、他方に入力操作を許容する入力手段を備えた携帯端末であることを特徴とする。  
これにより、セミオートで開方向へ枢動するクラムシェルタイプの携帯端末を提供することができる。
【発明の効果】
【００１１】
簡単な操作でセミオートの開動作を実現できるヒンジ機構および携帯端末を提供する。
【発明を実施するための最良の形態】
【００１２】
この発明の一実施形態を以下図面と共に説明する。  
【実施例１】
【００１３】
図１は、携帯電話機１の外観を示す斜視図である。  
携帯電話機１は、図示省略する入力キーなどが配置されたキー配置面６を有する本体７と、図示省略する液晶画面などが配置された表示面３を有するカバー２とにより構成されている。このカバー２と本体７とは、それぞれに設けられた接続部４（４ａ，４ｂ）および接続部５により、キー配置面６および表示面３が対向して重合する閉状態から１７０度回転して開いた開状態へ折りたたみ開閉可能に接続されている。  
本体７の接続部５の内部、およびカバー２の接続部４ｂの内部には、次に説明するヒンジ装置１０が収納されている。
【００１４】
図２および図３は、ヒンジ装置１０の分解斜視図を示し、図４および図５は、ヒンジ装置１０のハウジングを外した状態の斜視図を示す。  
ヒンジ装置１０は、Ｅリング１３、ストッパ２０、枢動バネ２５、本体側ハウジング３０、シャフト４０、押圧バネ４５、ワッシャ４８、本体側カム５０、カバー側ハウジング６０、カバー側カム７０、およびＥリング８１により構成されている。
【００１５】
ストッパ２０は、略円筒形の軸部２０ｂと該軸部２０ｂより外周が大きい略円筒形の頭部２０ａとで構成されている。頭部２０ａの外周面には、枢動バネ２５の一端２６を固定する枢動バネ取付溝２１が形成されている。またストッパ２０は、頭部２０ａおよび軸部２０ｂの内部に連通して、シャフト４０を挿通するシャフト挿通孔２３が形成されている。このシャフト挿通孔２３は、断面が円形の一部を切り欠いた形状となる回転係止面２２を有しており、挿通されたシャフト４０の切欠面４３が、この回転係止面２２に面接触する。したがって、シャフト４０とストッパ２０は相対回転しないように固定される。また、軸部２０ｂの端部には、押圧バネ４５の一端面４６（図３）と面接触して押圧を支持する押圧支持端面２４（図２）が形成されている。
【００１６】
枢動バネ２５は、螺旋状の弦巻バネであり、内周が軸部２０ｂの外周より大きく、外周が頭部２０ａの外周より小さい大きさに形成されている。また、枢動バネ２５は、軸方向に起立する一端２６および他端２７が両端部にそれぞれ形成されている。この枢動バネ２５は、一端２６側からストッパ２０の軸部２０ｂが内部に挿通されて、ストッパ２０の枢動バネ取付溝２１に一端２６が取り付けられる。
【００１７】
本体側ハウジング３０は、ストッパ２０側に該ストッパ２０を頭部２０ａも含めて挿通する挿通孔３２（図３）が形成されている。この挿通孔３２の内周は、ストッパ２０の頭部２０ａの外周より僅かに大きい大きさに形成されており、挿通孔３２の内部でストッパ２０がストレスなく回転できるように構成されている。本体側ハウジング３０の挿通孔３２と逆側には、本体側カム５０を挿入して非回転に固定するスライド溝３１が形成されている。本体側ハウジング３０の内部には、挿通孔３２からスライド溝３１に渡って連通する空間が存在しており、シャフト４０を挿通した押圧バネ４５が伸縮自在に挿通される。また、本体側ハウジング３０の内部には、図示省略する枢動バネ取付孔が設けられており、該枢動バネ取付孔に枢動バネ２５の他端２７が取り付け固定される。
【００１８】
シャフト４０は、全体が略円柱形で両端部にＥリング１３，８１をそれぞれ取り付ける終端溝４１，４２が形成されている。また、シャフト４０は、円柱形状の一側面を切り欠いて切欠面４３が形成されている。
【００１９】
押圧バネ４５は、螺旋状の弦巻バネであり、内周がシャフト４０の外周より大きく、かつ外周が本体側ハウジング３０の内部および枢動バネ２５の内部に挿通可能な大きさに形成されている。この押圧バネ４５は、胴部だけでなく両端部まで螺旋状に形成されている。この押圧バネ４５は、一端面４６がストッパ２０の押圧支持端面２４に面接触し、他端面４７がワッシャ４８に面接触して、ストッパ２０とワッシャ４８に挟まれる状態となる。
【００２０】
ワッシャ４８は、内周がシャフト４０を回転自在に挿通できる大きさであり、かつ、押圧バネ４５の他端面４７がしっかりと面接触できる大きさに形成されている。
【００２１】
本体側カム５０は、本体側ハウジング３０のスライド溝３１と係合して非回転でかつ枢軸方向にスライド可能に取り付ける係合突起５１が外周に設けられている。係合突起５１は、枢軸方向の肉厚がスライド溝３１の枢軸方向の長さより短く形成されている。この本体側カム５０の中心には、シャフト４０を回転自在に挿通する挿通孔５２が形成されている。本体側カム５０のカバー側カム７０との対向面５４には、回転方向に２つの傾斜面を有する山形の山形凸部５３が中心軸対称に２つ形成されている。この山形凸部５３は、本体側カム５０で半径方向に最も突出している係合突起５１よりも少し内側に形成されている。本体側カム５０の対向面５４と逆の面には、ワッシャ４８が当接する平滑面５５が形成されている。
【００２２】
カバー側ハウジング６０は、本体側ハウジング３０と同一の外周サイズを有する略円筒形のカバーであり、円筒形状の肉厚が、本体側ハウジング３０のスライド溝３１から外周までの肉厚と略同一に形成されている。これにより、本体側ハウジング３０のスライド溝３１に収納されている本体側カム５０が、枢軸方向にスライド移動して本体側ハウジング３０から突出し、カバー側ハウジング６０の内部に一部が挿入できるように構成されている。これにより、スライド溝３１にて本体側ハウジング３０と本体側カム５０とが相対的に非回転の状態を保った上で本体側カム５０の枢軸方向へのスライド移動を安定化させると共に、カバー側ハウジング６０の内面６１が円形であることにより本体側カム５０が本体側ハウジング３０から突出してカバー側ハウジング６０内に一部挿入された状態でもカバー側ハウジング６０と本体側ハウジング３０が相対的に回転できる。カバー側ハウジング６０における本体側ハウジング３０との逆側には、カバー側カム７０の固定突起７３と係合する固定凹部６２が形成されている。
【００２３】
カバー側カム７０は、カバー側ハウジング６０の固定凹部６２に係合し該カバー側ハウジング６０に対して非回転に固定する固定突起７３が外周面に突出形成されている。カバー側カム７０の中心には、シャフト４０を挿通する挿通孔７４が形成されている。この挿通孔７４は、断面が円形の一部を切り欠いた形状となる回転係止面７５を有しており、挿通されたシャフト４０の切欠面４３が、この回転係止面７５に面接触する。したがって、シャフト４０とカバー側カム７０は相対回転しないように固定される。カバー側カム７０の本体側カム５０との対向面には、本体側カム５０側へ向かって突出する２つの回転係止凸部７１と、一方の回転係止凸部７１の頂点から他方の回転係止凸部７１の基部へ向けて側面視一直線に傾斜する枢軸方向から見て円弧状の２つのスロープ７２が形成されている。このスロープ７２は、閉状態で本体側カム５０の山形凸部５３が位置する側が高く、開状態で本体側カム５０の山形凸部５３が位置する側が低い傾斜に形成されている。回転係止凸部７１のスロープ７２と反対側は、枢軸方向に鉛直の鉛直面７１ａが形成されている。
【００２４】
これらの各部品で構成されたヒンジ装置１０は、ストッパ２０、シャフト４０、カバー側ハウジング６０、およびカバー側カム７０が一体のカバー側ユニット１２となってカバー２の接続部４ｂ内に枢動方向へ非回転に固定され、本体側ハウジング３０および本体側カム５０が一体の本体側ユニット１７となって本体７の接続部５に枢動方向へ非回転に固定される。従って、カバー２と本体７の開閉方向の枢動に伴ってカバー側ユニット１２と本体側ユニット１７が相対的に回転する。そして、この回転に関して、枢動バネ２５が開方向へ常に付勢し、押圧バネ４５が本体側カム５０を付勢してカバー側カム７０に常に押圧させることになる。
【００２５】
図６は、ヒンジ装置１０の回転動作を正面図により説明する説明図であり、図７は、ヒンジ装置１０の回転動作を本体側ハウジング３０とカバー側ハウジング６０を省略した正面図により説明する説明図であり、図８は、回転動作中のカバー側カム７０に対する本体側カム５０の山形凸部５３の位置を説明する説明図であり、図９は、携帯電話機１の回転動作を斜視図により説明する説明図である。
【００２６】
（Ａ）に示すように、携帯電話機１（図９参照）のカバー２と本体７が閉じている閉状態のとき、本体側カム５０（図７参照）の山形凸部５３は、カバー側カム７０の回転係止凸部７１の頂点より鉛直面７１ａ側のポジションＰ１（図８参照）に位置している。この状態では、押圧バネ４５（図７参照）の矢印Ｙ１方向の付勢力により、山形凸部５３の開動係止側の傾斜面５３ａが回転係止凸部７１の頂点に当接して回転係止される。つまり、枢動バネ２５の矢印Ｙ２方向の付勢力はカバー側カム７０に対して本体側カム５０を開方向（矢印Ｙ２方向）へ回転させようとするが、この回転付勢力より押圧バネ４５の矢印Ｙ１方向の押圧付勢力が勝り、全体では図９（Ａ）の矢印Ｙ３方向に示す閉方向への付勢となって非回転の状態で停止している。
【００２７】
（Ｂ）に示すように、利用者によって携帯電話機１（図９参照）のカバー２と本体７が開方向へ少し（例えば８度程度）枢動させられると、本体側カム５０（図７参照）の山形凸部５３の頂点は、カバー側カム７０の回転係止凸部７１の頂点を乗り越え、スロープ７２上に当接するポジションＰ２（図８参照）に位置する。この状態では、押圧バネ４５による押圧付勢力は、スロープ７２により、カバー側カム７０に対して本体側カム５０を開方向へ回転させる付勢力へと切り替わる。このため、回転係止は解除され、枢動バネ２５の回転付勢力によって本体側カム５０とカバー側カム７０が開方向へ相対的に回転し、この回転を押圧バネ４５が補助する。この後、携帯電話機１（図９参照）のカバー２と本体７は、開方向へ自働的に枢動する。
【００２８】
（Ｃ）に示すように、枢動バネ２５（図７参照）と押圧バネ４５の付勢力によって自働で開方向へ枢動している間、本体側カム５０の山形凸部５３は、カバー側カム７０のスロープ７２上を滑動する。
【００２９】
（Ｄ）に示すように、全開位置まで枢動すると、本体側カム５０の山形凸部５３は、押圧バネ４５の押圧付勢力によって、カバー側カム７０のスロープ７２の後端に設けられた凹部７２ａに落ち込み、開状態で停止する。この凹部７２ａへの落ち込みによって、全開位置でのクリック感を出している。
【００３０】
閉動作の際は、利用者が手動でカバー２と本体７を枢動させて閉状態へ移行させれば、上述の開動作と反対の回転が行われる。山形凸部５３の頂点が回転係止凸部７１の頂点を乗り越えた時点で、押圧バネ４５の押圧付勢力は開方向の付勢力から閉方向への付勢力へと切り替わり、（Ａ）に示した閉位置へ移行して停止する。山形凸部５３の頂点が回転係止凸部７１の頂点を乗り越えるとき、良好なクリック感が得られるため、利用者は閉状態への移行が完了したことを認識できる。
【００３１】
以上の構成、および動作により、カバー２と本体７を利用者が手動で開方向へ少し枢動させれば、以降は全開位置まで自働で枢動するセミオート開動のクラムシェルタイプの携帯電話機１を提供することができる。
【００３２】
従来のように小さなボタンを押す必要がなく、カバー２と本体７を開けるという直感的な操作でセミオート開動が実現されるため、利用者の満足度を向上させることができる。
【００３３】
また、従来のボタンを押下する方法では、ボタンを押下するために必要な力が、ボタンを復帰させるためのバネの付勢力と同一であったが、上述した携帯電話機１は、ヒンジ装置１０内での枢動バネ２５と押圧バネ４５の付勢力に対して、ヒンジ装置１０の回転半径よりも全体の回転半径が格段に大きいカバー２と本体７の回転操作によってセミオート開動が実現されるため、てこの原理によって小さな力で操作できる。従って、小さなボタンを強い力で押させる必要がなく、操作感が非常に良好な携帯電話機１を提供できる。この効果は、お年寄りや子供などの力の弱い利用者にとっても非常に有効である。
【００３４】
また、押下用のボタンを設ける必要がないため、携帯電話機１の外観にヒンジ装置１０が影響を及ぼすことがなく、美観に優れた携帯電話機１を提供することが容易となる。
【実施例２】
【００３５】
次に、実施例２のヒンジ装置１１０について説明する。このヒンジ装置１１０は、上述した実施例１と同様の機構を有し、かつ、カバー１０２と本体１０７を重ね合わせた状態で左右方向へずらせば自動的に回動作する機能を付加したものである。
【００３６】
図１０および図１１は、ヒンジ装置１１０の分解斜視図を示し、図１２および図１３は、ヒンジ装置１１０のハウジングを外した状態の斜視図を示す。  
ヒンジ装置１１０は、Ｅリング１１３ａ、１１３ｂ、１１３ｃ、１８１、ワッシャ１４８ａ，１４８ｂ，１４８ｃ、左取付アーム２１０，幅調整ケース２１５、摺動リング２２０、支持アーム２３０、ストッパ１２０、シャフト１４０、押圧バネ１４５、枢動バネ１２５、本体側カム１５０、本体側ハウジング１３０、係止解除部材２４０、カバー側カム１７０、開閉安定化部材２５０、右取付アーム２６０、ボス２６９、横回転ベース２７０、固定カム２８０、およびネジＮ１〜Ｎ５により構成されている。
【００３７】
ワッシャ１４８ａ，１４８ｂ，１４８ｃは、内周がシャフト１４０を回転自在に挿通できる大きさに形成されている。  
左取付アーム２１０は、ヒンジ装置１１０をカバー１０２に取り付けるためのアームであり、カバー１０２にネジＮ５で固定するための上下方向のネジ孔２１１およびシャフト１４０を非回転に固定するための左右方向の挿着孔２１２が設けられている。挿着孔２１２には、シャフト１４０の切欠面１４３と係合してシャフト１４０を非回転にする回転係止面２１３が形成されている。
【００３８】
幅調整ケース２１５は、円筒形でシャフト１４０を挿通する挿通孔２１７が形成され、両端に凹部２１６，２１８が形成されている。凹部２１８は、摺動リング２２０を回転可能に収納する大きさで円形に形成されている。この幅調整ケース２１５により、幅調整ケース２１５の長さを変更するだけで、携帯電話機１０１の機種別のサイズの違いに容易に適応できるようにしている。
【００３９】
摺動リング２２０は、支持アーム２３０の左右方向の軸支孔２３１内に調度入り込む大きさの小径部２２２と、軸支孔２３１内に入り込まない大径部２２１とを有する略リング形状に形成されている。摺動リング２２０の中央には、シャフト１４０を回転可能に挿通許容する挿通孔２２３が形成されている。
【００４０】
支持アーム２３０は、略Ｌ字型に曲げられた板状部材で形成されており、左右方向に貫通する軸支孔２３１と、上下方向に貫通するネジ孔２３２，２３３が形成されている。ネジ孔２３３が設けられている右端部には、本体側ハウジング１３０を非回転に固定するための固定ガイド２３４が形成されている。
【００４１】
ストッパ１２０は、略円筒形の軸部１２０ｂと該軸部１２０ｂより外周が大きい略円筒形の頭部１２０ａとで構成され、シャフト１４０と一体化されている。したがって、シャフト１４０とストッパ１２０は相対回転しないように固定される。頭部１２０ａの外周面には、枢動バネ１２５の一端１２６を固定する枢動バネ取付溝１２１が形成されている。また、軸部１２０ｂの端部には、押圧バネ１４５の一端面１４６（図３）と面接触して押圧を支持する押圧支持端面１２４（図１０）が形成されている。
【００４２】
シャフト１４０は、全体が略円柱形で両端部および中間部にＥリング１１３ａ，１１３ｂ，１１３ｃ，１８１をそれぞれ取り付ける取付溝１４１ａ，１４１ｂ，１４１ｃ，１４２が形成されている。また、シャフト１４０は、円柱形状の一側面を切り欠いて切欠面１４３が形成されている。
【００４３】
押圧バネ１４５は、螺旋状の弦巻バネであり、内周がシャフト１４０の外周より大きく、かつ外周が本体側ハウジング１３０の内部および枢動バネ１２５の内部に挿通可能な大きさに形成されている。この押圧バネ１４５は、胴部だけでなく両端部まで螺旋状に形成されている。この押圧バネ１４５は、一端面１４６がストッパ１２０の押圧支持端面１２４に面接触し、他端面１４７が本体側カム１５０の平滑面１５５に面接触して、ストッパ１２０と本体側カム１５０に挟まれる状態となる。
【００４４】
枢動バネ１２５は、螺旋状の弦巻バネであり、内周が軸部１２０ｂの外周より大きく、外周が頭部１２０ａの外周より小さい大きさに形成されている。また、枢動バネ１２５は、軸方向に起立する一端１２６および他端１２７が両端部にそれぞれ形成されている。この枢動バネ１２５は、一端１２６側からストッパ１２０の軸部１２０ｂが内部に挿通されて、ストッパ１２０の枢動バネ取付溝１２１に一端１２６が取り付けられる。
【００４５】
本体側カム１５０は、本体側ハウジング１３０のスライド溝１３１と係合して非回転でかつ枢軸方向にスライド可能に取り付ける係合突起１５１が外周に設けられている。係合突起１５１は、枢軸方向の肉厚がスライド溝１３１の枢軸方向の長さより短く形成されている。この本体側カム１５０の中心には、シャフト１４０を回転自在に挿通する挿通孔１５２が形成されている。本体側カム１５０のカバー側カム１７０との対向面１５４には、回転方向に２つの傾斜面を有する山形の山形凸部１５３が中心軸対称に２つ形成されている。この山形凸部１５３は、本体側カム１５０で半径方向に最も突出している係合突起１５１よりも少し内側に形成されている。本体側カム１５０の対向面１５４と逆の面には、押圧バネ１４５の他端面１４７が当接する平滑面１５５が形成されている。
【００４６】
本体側ハウジング１３０には、ストッパ１２０側に該ストッパ１２０を頭部１２０ａも含めて挿通する挿通孔１３２（図１１）が形成されている。この挿通孔１３２の内周は、ストッパ１２０の頭部１２０ａの外周より僅かに大きい大きさに形成されており、挿通孔１３２の内部でストッパ１２０がストレスなく回転できるように構成されている。本体側ハウジング１３０の挿通孔１３２と逆側には、本体側カム１５０を挿入して非回転に固定するスライド溝１３１が形成されている。本体側ハウジング１３０の内部には、挿通孔１３２からスライド溝１３１に渡って連通する空間が存在しており、シャフト１４０を挿通した押圧バネ１４５が伸縮自在に挿通される。また、本体側ハウジング１３０の支持アーム２３０側の側面には、枢動バネ１２５の他端１２７が取り付けられて係止される係止部１３５が形成されている。
【００４７】
係止解除部材２４０は、本体側ハウジング１３０の円筒形部分の挿通を許容するリング状ガイド部２４３を有し、下方に長方形にガイド孔２４５が形成されている。ガイド孔２４５内には、左右方向に伸縮する横回転付勢バネ２４９を取り付ける取付突起２４６が形成されている。ガイド孔２４５の隣には、横回転されると固定カム２８０により押されて係止解除部材２４０をスライド移動するスライド突起２４７が設けられている。リング状ガイド部２４３の外周部分には、凹部２４１と、該凹部２４１に隣接する係止解除凸部２４２とが形成されている。リング状ガイド部２４３の右取付アーム２６０側には、平滑な平面であるガイド面２４８が形成されている。
【００４８】
カバー側カム１７０は、右取付アーム２６０の固定凹部２６２に係合し該右取付アーム２６０に対して非回転に固定する固定突起１７８が外周面に突出形成されている。カバー側カム１７０の中心には、シャフト１４０を挿通する挿通孔１７４が形成されている。この挿通孔１７４は、断面が円形の一部を切り欠いた形状となる回転係止面（図示省略）を有しており、挿通されたシャフト１４０の切欠面１４３が、この回転係止面に面接触する。したがって、シャフト１４０とカバー側カム１７０は相対回転しないように固定される。カバー側カム１７０の本体側カム１５０との対向面には、本体側カム１５０側へ向かって突出する２つの回転係止凸部１７１と、一方の回転係止凸部１７１の頂点から他方の回転係止凸部１７１の基部へ向けて側面視一直線に傾斜する枢軸方向から見て円弧状の２つのスロープ１７２が形成されている。このスロープ１７２は、閉状態で本体側カム１５０の山形凸部１５３が位置する側が高く、開状態で本体側カム１５０の山形凸部１５３が位置する側が低い傾斜に形成されている。回転係止凸部１７１のスロープ１７２と反対側は、枢軸方向に鉛直の鉛直面１７１ａが形成されている。
【００４９】
開閉安定化部材２５０は、リング状のリング部２５１と該リング部２５１の一箇所に設けられた基部とで構成されており、この基部に右取付アーム２６０の先端の挿着を許容する挿着孔２５５が形成されている。また、基部の係止解除部材２４０側の面には、開閉安定化突起２５２と、該開閉安定化突起に連接された係止解除斜面２５３が形成されている。
【００５０】
右取付アーム２６０は、左取付アーム２１０と左右対称に形成されており、ネジ孔２６３、挿着孔２６１、および回転係止面２６２が形成されている。  
ボス２６９は、上面に大径の頭部を有する円筒形の部材であり、中央にネジＮ４を螺着できるネジ孔が形成されている。  
横回転ベース２７０は、略板状の部材であり、ボス２６９を挿通する挿通孔２７２、およびネジＮ３を螺入するネジ孔２７１，２７１が形成されている。
【００５１】
固定カム２８０は、一端辺にＶ字型のカム溝２８２を有する板状部材であり、ボス２６９を挿通許容してネジＮ４でネジ止めするための挿通孔２３１が形成されている。
【００５２】
これらの各部品で構成されたヒンジ装置１１０は、ストッパ１２０、シャフト１４０、カバー側カム１７０、左取付アーム２１０、開閉安定化部材２５０、および右取付アーム２６０が一体のカバー側ユニットとなってカバー１０２に枢動方向へ非回転に固定され、本体側ハウジング１３０、本体側カム１５０、支持アーム２３０、係止解除部材２４０、横回転ベース２７０が一体の横回転ユニットとなって、本体側ユニットとなる固定カム２８０に横方向へ回転可能に取り付けられる。従って、カバー１０２と本体１０７の開閉方向の枢動に伴ってカバー側ユニットと横回転ユニットが相対的に開閉方向へ回転する。そして、この回転に関して、枢動バネ１２５が開方向へ常に付勢し、押圧バネ１４５が本体側カム１５０を付勢してカバー側カム１７０に常に押圧させることになる。
【００５３】
図１４は、ヒンジ装置１１０の回転動作を正面図により説明する説明図であり、図１５は、ヒンジ装置１１０の回転動作を背面図により説明する説明図であり、図１６は、回転動作中のカバー側カム１７０に対する本体側カム１５０の位置を説明する説明図であり、図１７は、携帯電話機１０１の回転動作を背面図により説明する説明図であり、図１８は、携帯電話機１０１の回転動作を上面図により説明する説明図である。
【００５４】
（Ａ）に示すように、携帯電話機１０１（図９参照）のカバー１０２と本体１０７が閉じている閉状態のとき、本体側カム１５０（図７参照）の山形凸部１５３は、カバー側カム１７０の回転係止凸部１７１の頂点より鉛直面１７１ａ側のポジションに位置している。この状態では、押圧バネ１４５の軸方向の付勢力により、山形凸部１５３の開動係止側の傾斜面１５３ａが回転係止凸部１７１の頂点に当接して回転係止される。つまり、枢動バネ１２５の開閉方向の付勢力は、カバー側カム１７０に対して本体側カム１５０を開方向（矢印Ｙ２方向）へ回転させようとするが、この回転付勢力より押圧バネ１４５の軸方向の押圧付勢力が勝り、全体では閉方向への付勢となって非回転の状態で停止している。
【００５５】
（Ｂ）に示すように、利用者によって携帯電話機１０１（図９参照）のカバー１０２が本体１０７に対して右方向へ少し横回転させてずらされるか、（Ｃ）に示すようにカバー１０２が本体１０７に対して左方向へ少し横回転させてずらされると、図１５に示すように、係止解除部材２４０が左右方向外側へスライド移動する。つまり、本体１０７に非回転に固定されている固定カム２８０のカム溝２８２に係止解除部材２４０のスライド突起２４７が当接し、カム溝２８２によってスライド突起２４７が押し出されて開閉安定化部材２５０の係止解除斜面２５３（図１３参照）が押圧される。このため、開閉安定化部材２５０は係止解除斜面２５３が押圧される影響で開方向へ回転する。
【００５６】
この手動による回転が一定角度を超えると、図１６（Ａ）に示した状態から図１６（Ｂ）に示した状態へ移行し、本体側カム１５０の山形凸部１５３がカバー側カム１７０の回転係止凸部１７１を乗り越え、回転係止が解除される。このため実施例１と同様に、枢動バネ１２５（実施例１の枢動バネ２５に対応）と押圧バネ１４５（実施例１の押圧バネ４５に対応）の付勢力によって自動で開方向へ枢動する。
【００５７】
このように枢動バネ１２５と押圧バネ１４５の付勢力によって自働で開方向へ枢動している間、本体側カム１５０の山形凸部１５３は、カバー側カム１７０のスロープ１７２上を滑動する。また、一定以上開方向へ回転すると、開閉安定化部材２５０の開閉安定化突起２５２の頂点が係止解除部材２４０のガイド面２４８に接触する。このため、係止解除部材２４０が左右方向にスライドできない状態となり、カバー１０２と本体１０７が横方向にずれるように回転することができず、カバー１０２と本体１０７の安定した開閉を実現している。
【００５８】
以降の全開位置までの開動作、および全開位置から閉位置までの閉動作については、実施例１と同一であるため、その詳細な説明を省略する。
【００５９】
以上の実施例２のヒンジ装置１１０により、カバー１０２と本体１０７を横方向にずらせば、後は自動で開方向へ回転して全開状態へ移行するセミオート開動を実現することができる。
【００６０】
閉状態では、係止解除部材２４０の凹部２４１に開閉安定化部材２５０の開閉安定化突起２５２が入り込めることにより、カバー１０２と本体１０７をずらすようにすこし枢動できる。
【００６１】
そして、一定以上開方向へ回転した後は、係止解除部材２４０のガイド面２４８に開閉安定化部材２５０の開閉安定化突起２５２が当接することにより、左右方向へずれることなく安定して回転することができる。
【００６２】
このように、非常に操作性が良く、また開閉動作の安定したヒンジ装置１１０を提供することができる。
【実施例３】
【００６３】
次に、実施例３のヒンジ装置３１０について説明する。このヒンジ装置３１０は、上述した実施例２と同様の機構を有し、カバー１０２（実施例２の図１７参照）と本体１０７を重ね合わせた状態で左右方向へずらせば自動的に回動作する機能を有するものである。
【００６４】
図１９および図２０は、ヒンジ装置３１０の分解斜視図を示し、図２１および図２２は、ヒンジ装置３１０のハウジングを外した状態の斜視図を示す。  
ヒンジ装置３１０は、シャフト３４０、固定部材３２６、ストッパ３２０、枢動バネ３２５、本体側ハウジング３３０、押圧バネ３４５、ワッシャ３４８、本体側カム３５０、カバー側ハウジング３６０、カバー側カム３７０、スライドカム４１０、支持板４３０、回転ベース４７０、および固定ベース４８０により主に構成されている。
【００６５】
シャフト３４０は、全体が略円柱形で一端部に固定部材３２６およびストッパ３２０と係合する終端突起３４４が形成されている。また、シャフト３４０の他端には、円柱形状の一側面を切り欠いて切欠面３４３が形成されている。
【００６６】
固定部材３２６は、シャフト３４０を挿通する挿通孔３２８と、ストッパ３２０と係合するための係合突起３２７が設けられている。また、挿通孔３２８の係合突起３２７側には、シャフト３４０の終端突起３４４に当接するガイド孔３２８ａが設けられている。このガイド孔３２８ａは、終端突起３４４の軸方向の長さより長く構成されている。これにより、シャフト３４０に対して固定部材３２６が軸方向にスライド移動できる。また、固定部材３２６の端部には、押圧バネ３４５の一端面３４６（図２０）と面接触して押圧を支持する押圧支持端面３２９（図１９）が形成されている。
【００６７】
ストッパ３２０は、略円筒形に形成され、固定部材３２６を挿通可能な挿通孔３２２が設けられている。ストッパ３２０の一端側には、固定部材３２６の係合突起３２７と係合する係合凹部３２３と、シャフト３４０の終端突起３４４と係合する係合凹部３２４が設けられている。したがって、シャフト３４０とストッパ３２０と固定部材３２６は、相対回転しないように固定される。またストッパ３２０の外周面には、枢動バネ３２５の一端３２５ａを固定する枢動バネ取付溝３２１が形成されている。
【００６８】
枢動バネ３２５は、螺旋状の弦巻バネであり、内周が押圧バネ３４５の外周より大きい大きさに形成されている。また、枢動バネ３２５は、軸方向に起立する一端３２５ａおよび他端３２５ｂが両端部にそれぞれ形成されている。この枢動バネ３２５は、一端３２５ａがストッパ３２０の枢動バネ取付溝３２１に取り付けられ、他端３２５ｂが本体側ハウジング３３０の内部に取り付けられる。
【００６９】
本体側ハウジング３３０は、ストッパ３２０側に該ストッパ３２０を挿通する挿通孔３３２（図２０）が形成されている。この挿通孔３３２の内周は、ストッパ３２０の外周より僅かに大きい大きさに形成されており、挿通孔３３２の内部でストッパ３２０がストレスなく回転できるように構成されている。本体側ハウジング３３０の挿通孔３３２と逆側には、本体側カム３５０を挿入して非回転に固定するスライド溝３３１が形成されている。本体側ハウジング３３０の内部には、挿通孔３３２からスライド溝３３１に渡って連通する空間が存在しており、シャフト３４０を挿通した押圧バネ３４５が伸縮自在に挿通される。また、本体側ハウジング３３０の内部には、図示省略する枢動バネ取付孔が設けられており、該枢動バネ取付孔に枢動バネ３２５の他端３２５ｂが取り付け固定される。
【００７０】
また、本体側ハウジング３３０の一側面には、ガイド突起３３９が設けられ、このガイド突起の中央にネジ孔３３８が設けられている。ガイド突起３３９は、略正方形に形成され、スライドカム４１０に設けられている長方形のガイド孔４１１と係合する。このため、スライドカム４１０と本体側ハウジング３３０は、シャフト３４０の軸方向に互いにスライド移動する構成となっている。本体側ハウジング３３０の底面には、回転ベース４７０を固定するためのネジ孔３３７が設けられている。
【００７１】
押圧バネ３４５は、螺旋状の弦巻バネであり、内周がシャフト３４０の外周より大きく、かつ外周が本体側ハウジング３３０の内部および枢動バネ３２５の内部に挿通可能な大きさに形成されている。この押圧バネ３４５は、胴部だけでなく両端部まで螺旋状に形成されている。この押圧バネ３４５は、一端面３４６がストッパ３２０の押圧支持端面３２９に面接触し、他端面３４７がワッシャ３４８に面接触して、ストッパ３２０とワッシャ３４８に挟まれる状態となる。
【００７２】
ワッシャ３４８は、内周がシャフト３４０を回転自在に挿通できる大きさであり、かつ、押圧バネ３４５の他端面３４７がしっかりと面接触できる大きさに形成されている。
【００７３】
本体側カム３５０は、本体側ハウジング３３０のスライド溝３３１と係合して非回転でかつ枢軸方向にスライド可能に取り付ける係合突起３５１が外周に設けられている。係合突起３５１は、枢軸方向の肉厚がスライド溝３３１の枢軸方向の長さより短く形成されている。この本体側カム３５０の中心には、シャフト３４０を回転自在に挿通する挿通孔３５２が形成されている。本体側カム３５０のカバー側カム３７０との対向面３５４には、回転方向に２つの傾斜面３５３ａを有する山形の山形凸部３５３が中心軸対称に２つ形成されている。この山形凸部３５３は、本体側カム３５０で半径方向に最も突出している係合突起３５１よりも少し内側に形成されている。本体側カム３５０の対向面３５４と逆の面には、ワッシャ３４８が当接する平滑面３５５が形成されている。
【００７４】
カバー側ハウジング３６０は、円筒形のリング状に形成されており、その内周が、本体側カム３５０とカバー側カム３７０のいずれも挿通可能な程度の大きさに構成されている。これにより、本体側ハウジング３３０のスライド溝３３１に収納されている本体側カム３５０が、枢軸方向にスライド移動して本体側ハウジング３３０から突出し、カバー側ハウジング３６０の内部に一部が挿入できるように構成されている。これにより、スライド溝３３１にて本体側ハウジング３３０と本体側カム３５０とが相対的に非回転の状態を保った上で本体側カム３５０の枢軸方向へのスライド移動を安定化させると共に、カバー側ハウジング３６０の内面３６１が円形であることにより本体側カム３５０が本体側ハウジング３３０から突出してカバー側ハウジング３６０内に一部挿入された状態でもカバー側ハウジング３６０と本体側ハウジング３３０が相対的に回転できる。
【００７５】
カバー側カム３７０は、カバー１０２（実施例２の図１７参照）に係合し該カバー１０２に対して非回転に固定する固定突起３７３が外周面に突出形成されている。カバー側カム３７０の中心には、シャフト３４０を挿通する挿通孔３７４が形成されている。この挿通孔３７４は、断面が円形の一部を切り欠いた形状となっており、挿通されたシャフト３４０の切欠面３４３が、この挿通孔３７４の切欠面に面接触する。したがって、シャフト３４０とカバー側カム３７０は相対回転しないように固定される。カバー側カム３７０の本体側カム３５０との対向面には、本体側カム３５０側へ向かって突出する２つの回転係止凸部３７１と、一方の回転係止凸部３７１の頂点から他方の回転係止凸部３７１の基部へ向けて側面視一直線に傾斜する枢軸方向から見て円弧状の２つのスロープ３７２が形成されている。このスロープ３７２は、閉状態で本体側カム３５０の山形凸部３５３が位置する側が高く、開状態で本体側カム３５０の山形凸部３５３が位置する側が低い傾斜に形成されている。回転係止凸部３７１のスロープ３７２と反対側は、枢軸方向に鉛直の鉛直面３７１ａが形成されている。
【００７６】
スライドカム４１０は、板金部材を曲げて形成しており、本体側ハウジング３３０のガイド突起３３９と係合する横長の長方形のガイド孔４１１が中央に設けられている。このガイド孔４１１内で、ガイド突起３３９が左右方向へスライド移動できるようにしている。スライドカム４１０の左側には、本体側ハウジング３３０側へ突出して固定部材３２６を左から右へ支持する支持部４１５が設けられている。スライドカム４１０の右側には、本体側ハウジング３３０と反対側へ突出する部分にリベットＲ１を取り付ける取付孔４１２が設けられている。スライドカム４１０の右下方には、Ｖ字型部分を有するホームベース型のカム孔４１３が設けられている。このカム孔４１３は、Ｖ字部分の頂点を通る中心線が、組み立て後のボス４６９を中心とする半径方向と一致し、かつシャフト３４０の軸方向と平行になるように構成されている。
【００７７】
支持板４３０は、Ｌ字型に曲げ加工された板金部材により構成されており、リベットＲ２を取り付ける取付孔４３２、およびネジＮ１２を取り付けるネジ孔４３１が設けられている。ネジＮ１２がこのネジ孔４３１に挿通され、本体側ハウジング３３０のネジ孔３３８に螺着されることで、本体側ハウジング３３０と支持板４３０が一体化すると共に、スライドカム４１０が軸方向（左右方向）にスライド移動可能に支持される。
【００７８】
支持板４３０の左側突出片と、スライドカム４１０の右側突出片との間には、リベットＲ１，Ｒ２により両端が支持されるコイルバネ４２０が装着されている。このコイルバネ４２０は、支持板４３０とスライドカム４１０とをシャフト３４０の軸方向に離間させる方向へ付勢している。
【００７９】
回転ベース４７０には、Ｌ字型に曲げ形成された板金であり、ネジＮ１１によって本体側ハウジング３３０のネジ孔３３７とネジ止めするためのネジ孔４７１が設けられている。また、ボス４６９を回転可能に挿通する挿通孔４７２が設けられている。
【００８０】
固定ベース４８０には、ボス４６９を回転可能に挿通する挿通孔４７２と、リベットＲ３を下から取り付ける取付孔４８２と、本体側ユニットにネジ止めするためのネジ孔４８３が設けられている。取付孔４８２は、取り付けたリベットＲ３が、スライドカム４１０のカム孔４１３内に入り込む位置に設けられている。
【００８１】
これらの各部品で構成されたヒンジ装置３１０は、ストッパ３２０、固定部材３２６、シャフト３４０、カバー側ハウジング３６０、およびカバー側カム３７０が一体のカバー側ユニットとなってカバー１０２（実施例２の図１７参照）の接続部内に枢動方向へ非回転に固定され、本体側ハウジング３３０、本体側カム３５０、スライドカム４１０、支持板４３０、回転ベース４７０、および固定ベース４８０が一体の本体側ユニットとなって本体１０７の接続部に枢動方向へ非回転に固定される。従って、カバー１０２と本体１０７の開閉方向の枢動に伴ってカバー側ユニットと本体側ユニットが相対的に回転する。そして、この回転に関して、枢動バネ３２５が開方向へ常に付勢し、押圧バネ３４５が本体側カム３５０を付勢してカバー側カム３７０に常に押圧させることになる。
【００８２】
また、本体側ユニットは、固定ベース４８０で構成される本体側固定ユニットと、本体側ハウジング３３０、本体側カム３５０、スライドカム４１０、支持板４３０、および回転ベース４７０で構成される本体側回転ユニットとで構成されている。本体側回転ユニットは、ボス４６９を中心に本体側固定ユニットに対して重ね合わせ横方向にスライド回転する。
【００８３】
図２３、図２４は、ヒンジ装置３１０の回転動作を正面図により説明する説明図であり、図２５、図２６は、ヒンジ装置３１０の回転動作を本体側ハウジング３３０とカバー側ハウジング３６０を省略した正面図により説明する説明図であり、図２７、図２８は、回転動作中のカバー側カム３７０に対する本体側カム３５０の山形凸部３５３の位置を説明する説明図である。
【００８４】
（Ａ）に示すように、携帯電話機１０１（実施例２の図１７参照）のカバー１０２と本体１０７が閉じている閉状態のとき、本体側カム３５０の山形凸部３５３（図２７参照）は、カバー側カム３７０の回転係止凸部３７１の頂点より鉛直面３７１ａ側に位置している。この状態では、押圧バネ３４５（図２５参照）の付勢力により、山形凸部３５３の開動係止側の傾斜面３５３ａが回転係止凸部３７１の頂点に当接して回転係止される。つまり、枢動バネ３２５の付勢力はカバー側カム３７０に対して本体側カム３５０を開方向へ回転させようとするが、この回転付勢力より押圧バネ３４５の押圧付勢力が勝り、全体では閉方向への付勢となって非回転の状態で停止している。
【００８５】
（Ｂ）に示すように、利用者によって携帯電話機１０１（実施例２の図１７参照）のカバー１０２が本体１０７に対して右方向へ少し横回転させてずらされるか、（Ｃ）に示すようにカバー１０２が本体１０７に対して左方向へ少し横回転させてずらされると、ボス４６９を中心にスライドカム４１０が左右方向へ少し横回転する。このとき、図２５または図２６に示すように、スライドカム４１０のカム孔４１３におけるガイド部４１３ａまたはガイド部４１３ｂとリベットＲ３が係合し、スライドカム４１０がコイルバネ４２０の付勢力に逆らって左右方向外側へスライド移動する。つまり、本体１０７に非回転に固定されている固定ベース４８０のリベットＲ３がスライドカム４１０のカム孔４１３に当接し、リベットＲ３によってガイド部４１３ａまたはガイド部４１３ｂが押圧される。  
この押圧作用によって、スライドカム４１０がスライド移動し、スライドカム４１０の支持部４１５で支持されている固定部材３２６も左右方向外側へスライド移動する。支持部４１５がスライド移動すると、支持部４１５と本体側カム３５０との間の距離が広がり、この間に設けられて両者を離間させる方向へ付勢している押圧バネ３４５の付勢力（押圧力）が弱くなる。
【００８６】
この手動による回転が一定角度を超えると、枢動バネ３２５の付勢力による回転力よりも、押圧バネ３４５の付勢力による回転係止力が弱くなり、（Ａ）に示した状態から（Ｂ）に示した状態へ移行して、回転係止が解除される。
【００８７】
つまり、枢動バネ３２５の付勢力が押圧バネ３４５の付勢力に勝ることで、本体側カム３５０の山形凸部３５３がカバー側カム３７０の回転係止凸部３７１を乗り越え、回転係止が解除される。このため実施例１と同様に、枢動バネ３２５（実施例１の枢動バネ２５に対応）と押圧バネ３４５（実施例１の押圧バネ４５に対応）の付勢力によって自動で開方向へ枢動する。
【００８８】
以降の全開位置までの開動作、および全開位置から閉位置までの閉動作については、実施例１と同一であるため、その詳細な説明を省略する。
【００８９】
以上の実施例３のヒンジ装置３１０により、カバー１０２と本体１０７を横方向にずらせば、後は自動で開方向へ回転して全開状態へ移行するセミオート開動を実現することができる。  
これにより、非常に操作性が良く、また開閉動作の安定したヒンジ装置３１０を提供することができる。
【００９０】
この発明の構成と、上述の実施形態との対応において、
この発明の携帯端末は、実施形態の携帯電話機１，１０１，３０１に対応し、
以下同様に、
第１筐体は、カバー２，１０２に対応し、
表示手段は、表示面３の液晶画面に対応し、
入力手段は、キー配置面６の入力キーに対応し、
第２筐体は、本体７，１０７に対応し、
ヒンジ機構は、ヒンジ装置１０，１１０，３１０に対応し、
枢動付勢手段は、枢動バネ２５，１２５，３２５に対応し、
押圧付勢手段は、押圧バネ４５，１４５，３４５に対応し、
第１カムは、本体側カム５０，１５０，３５０に対応し、
第１凸部は、山形凸部５３，１５３，３５３に対応し、
一方の当接部および傾斜面は、傾斜面５３ａ，１５３ａ，３５３ａに対応し、
第１対向面は、対向面５４，１５４，３５４に対応し、
第２カムは、カバー側カム７０，１７０，３７０に対応し、
第２凸部は、回転係止凸部３７１，１７１，３７１に対応し、
他方の当接部は、回転係止凸部３７１，１７１，３７１の頂点に対応し、
第２対向面は、スロープ３７２，１７２，３７２が設けられている面に対応し、
枢着部は、ボス２６９，４６９に対応し、
係止解除手段は、係止解除凸部２４２と係止解除斜面２５３、またはスライドカム４１０とリベットＲ３に対応し、
互いに近づく方向は、矢印Ｙ１に対応し、
開方向は、矢印Ｙ２に対応するも、
この発明は、上述の実施形態の構成のみに限定されるものではなく、多くの実施の形態を得ることができる。
【図面の簡単な説明】
【００９１】
【図１】携帯電話機の外観を示す斜視図。
【図２】ヒンジ装置の分解斜視図。
【図３】ヒンジ装置の分解斜視図。
【図４】ヒンジ装置のハウジングを外した状態の斜視図。
【図５】ヒンジ装置のハウジングを外した状態の斜視図。
【図６】ヒンジ装置の回転動作を正面図により説明する説明図。
【図７】ヒンジ装置の回転動作を説明する説明図。
【図８】回転動作中の山形凸部の位置を説明する説明図。
【図９】携帯電話機の回転動作を斜視図により説明する説明図。
【図１０】実施例２のヒンジ装置の分解斜視図。
【図１１】実施例２のヒンジ装置の分解斜視図。
【図１２】実施例２のヒンジ装置の斜視図。
【図１３】実施例２のヒンジ装置の斜視図。
【図１４】実施例２のヒンジ装置の回転動作を正面図により説明する説明図。
【図１５】実施例２のヒンジ装置の回転動作を背面図により説明する説明図。
【図１６】本体側カム１５０とカバー側カム１７０の動きを説明する説明図。
【図１７】携帯電話機の回転動作を背面図により説明する説明図。
【図１８】携帯電話機の回転動作を上面図により説明する説明図。
【図１９】実施例３のヒンジ装置の分解斜視図。
【図２０】実施例３のヒンジ装置の分解斜視図。
【図２１】実施例３のヒンジ装置の斜視図。
【図２２】実施例３のヒンジ装置の斜視図。
【図２３】実施例３のヒンジ装置の回転動作を正面図により説明する説明図。
【図２４】実施例３のヒンジ装置の回転動作を正面図により説明する説明図。
【図２５】実施例３のヒンジ装置の回転動作を背面図により説明する説明図。
【図２６】実施例３のヒンジ装置の回転動作を背面図により説明する説明図。
【図２７】本体側カムとカバー側カムの動きを説明する説明図。
【図２８】本体側カムとカバー側カムの動きを説明する説明図。
【符号の説明】
【００９２】
１，１０１，３０１…携帯電話機
２，１０２…カバー
３…表示面
６…キー配置面
７，１０７…本体
１０，１１０，３１０…ヒンジ装置
２５，１２５，３２５…枢動バネ
４５，１４５，３４５…押圧バネ
５０，１５０，３５０…本体側カム
５３，１５３，３５３…山形凸部
５３ａ，１５３ａ，３５３ａ…傾斜面
５４，１５４，３５４…対向面
７０，１７０，３７０…カバー側カム
７１，１７１，３７１…回転係止凸部
７２，１７２，３７２…スロープ
２４２…係止解除凸部
２５３…係止解除斜面
２６９，４６９…ボス
４１０…スライドカム
Ｒ３…リベット
Ｙ１…矢印
Ｙ２…矢印
【図１】
2008106803.tif 000003
【図２】
2008106803.tif 000004
【図３】
2008106803.tif 000005
【図４】
2008106803.tif 000006
【図５】
2008106803.tif 000007
【図６】
2008106803.tif 000008
【図７】
2008106803.tif 000009
【図８】
2008106803.tif 000010
【図９】
2008106803.tif 000011
【図１０】
2008106803.tif 000012
【図１１】
2008106803.tif 000013
【図１２】
2008106803.tif 000014
【図１３】
2008106803.tif 000015
【図１４】
2008106803.tif 000016
【図１５】
2008106803.tif 000017
【図１６】
2008106803.tif 000018
【図１７】
2008106803.tif 000019
【図１８】
2008106803.tif 000020
【図１９】
2008106803.tif 000021
【図２０】
2008106803.tif 000022
【図２１】
2008106803.tif 000023
【図２２】
2008106803.tif 000024
【図２３】
2008106803.tif 000025
【図２４】
2008106803.tif 000026
【図２５】
2008106803.tif 000027
【図２６】
2008106803.tif 000028
【図２７】
2008106803.tif 000029
【図２８】
2008106803.tif 000030